(57)【特許請求の範囲】
【請求項１】
アーム（１）の先端部に首振り機構（２）を介して基体（３）を取り付け、この基体（３）にカバー（５）を取り付けた照明装置において、
前記基体（３）の先端に挟持プレート（３４）を設けてこの挟持プレート（３４）で前記カバー（５）を回動自在に挟持するとともに、傘状の遮熱板（３１）をカバー（５）内にカバー（５）の回動とともに回動しないように固設し、
この遮熱板（３１）の基体（３）への固設個所である中央部を避けた位置に設けたソケット（３２）に光源（４）を不動状態で取り付け、
前記カバー（５）の開口部に拡散加工処理を施した凹凸領域（５１Ｂ）と拡散加工処理の施していない透明領域（５１Ａ）を有する透光部材（５１）を固着し、
前記光源（４）を覆うように反射鏡（３３）を設け、
前記カバー（５）を回動させて光源（４）の下に透明領域（５１Ａ）を位置させたときに反射鏡（３３）によって制御された光をスポット光として照射し、
前記カバー（５）を回動させて光源（４）の下に凹凸領域（５１Ｂ）を位置させたときに拡散光として照射し、
前記カバー（５）の外周面の一部にカバー（５）の回動位置を変更する取手（６）を設けたことを特徴とする照明装置。
【請求項２】
前記透光部材（５１）の外側に略格子状に形成したルーバ（５２）を設けたことを特徴とする請求項１に記載の照明装置。
【請求項３】
前記カバー（５）の開口した先端部に斜めにカットされたフード（５４）を取り付けたことを特徴とする請求項１又は２に記載の照明装置。
【請求項４】
前記アーム（１）は病室の壁面（Ｗ）に取り付けることを特徴とする請求項１ないし３のいずれか１項に記載の照明装置。
【発明の詳細な説明】
【０００１】
【発明の属する技術分野】
この発明は、例えば、病院のベッドのヘッド側若しくは壁側等に取り付けて使用する照明装置に関するものである。
【０００２】
【従来の技術】
例えば、机の上での読書や作業台等での各種作業には、室内灯の他にテーブルスタンド等の照明器具を用意しておいて点灯させて局部的に部分照明を行い、所定の明るさの照明環境を確保して対象物の視認性を高め、各種作業が容易に、かつ、確実に行えるようにしている。
【０００３】
このような照明器具としては、例えば机上面などでは、ある程度の角度首振り可能な状態で直接スポットライトを取り付けたものや、ヘ字型に折曲されたフレキシブルライトなどが知られており、このような照明器具を使用すれば、所望の部位へ向けて照明光を比較的集中して投光させることができる。
【０００４】
【発明が解決しようとする課題】
このような照明装置では、ある程度透明領域を制限して投光する光の照射領域を狭めているが、あくまでも部分照明としての使用であって、机上面での細かい作業、例えば局所的に照明光をごく狭く絞って作業を容易に行おうとすることができない。
【０００５】
また、病院などにおける照明器具としては、天井面に埋め込まれた室内灯等のほかに、例えば患者が読書などをするため同様の照明器具（スポットライトやフレキシブルライト等）が知られている。ところが、このような照明器具でも、例えば夜間に局部的な介護作業（処置）を行うような場合には所望の患部部へ照明光がうまく届かずに薄暗い中で介護作業（処置）を施すか、室内灯を点灯させて睡眠中の同室の他の患者の安眠を妨害させて介護作業（処置）せざるを得ない。
【０００６】
また特にフレキシブルライト等では、光源をある程度の範囲で移動させることが可能であるが、光源から出射する光が十分に絞られていないから、拡散された光で患部を照明させることとなり、作業に必要な明るさがとれない（処置の際の障害となる虞れ）場合もある。
【０００７】
そこで、この発明は、上記した事情に鑑み、簡単な操作で切り替えて、作業の好みに応じて拡散光を投光させる照明状態と、局所的な照明・投光を行う照明状態との切り替えを容易に行うことができる照明装置を提供することを目的とする。
【０００８】
【課題を解決するための手段】
上記目的を達成するため本発明は、アームの先端部に首振り機構を介して基体を取り付け、この基体にカバーを取り付けた照明装置において、前記基体の先端に挟持プレートを設けてこの挟持プレートで前記カバーを回動自在に挟持するとともに、傘状の遮熱板をカバー内にカバーの回動とともに回動しないように固設し、この遮熱板の基体への固設個所である中央部を避けた位置に設けたソケットに光源を不動状態で取り付け、前記カバーの開口部に拡散加工処理を施した凹凸領域と拡散加工処理の施していない透明領域を有する透光部材を固着し、前記光源を覆うように反射鏡を設け、前記カバーを回動させて光源の下に透明領域を位置させたときに反射鏡によって制御された光をスポット光として照射し、前記カバーを回動させて光源の下に凹凸領域を位置させたときに拡散光として照射し、前記カバーの外周面の一部にカバーの回動位置を変更する取手を設けたものである。
【０００９】
【発明の実施の形態】
以下この発明について添付図面を参照しながら説明する。
図１は、この発明の第１実施例に係る照明装置を示すものであり、この照明装置は、（病院や診療所の）病室の壁面（ベッドのヘッド側例えばヘッドボード或はフロアスタンドなどでもよい）Ｗにアーム１を取り付けており、このアーム１の先端部にＸＹＺの直交する方向に自由に移動できる首振り機構２を介して基体３が取り付けてある。また、この基体３には、その下方を向いた面の中心がカバー５の回動の中心となるように、カバー５を回動自在に取り付けている。
【００１０】
アーム１は、略へ字形に形成されており、中間部分から下向きに折曲させて投光位置を前後左右に自在に移動できるようになっている。また、このアーム１には、基部、中間部及び先端部の３個所に、それぞれ縦方向に回動できる略円柱形の節を有しており、さらにこの先端部側の節の先には首振り機構２が取り付けられている。なお、このアーム１の基端部には、適宜の取付部８が設けられており、この取付部８で病室の壁面Ｗに取り付けられている。
【００１１】
なお、首振り機構２は、図２に示すように、アーム１の先端部と基体３の基部との間においてＸ，Ｙ，Ｚの方向に設けた３軸（図略）を介して上下左右方向に自由に回動できるようになっており、これによって光源４がアーム１に対して３次元方向に回動できる。なお、符号２２は、固定摘みを示す。
【００１２】
図３に示す基体３は、先端に設けた後述する挟持プレート３４によってカバー５を挟持するようになっている。図３からも明らかなように基体３の軸に挟持プレート３４が取り付けられ、この軸の先端部分に遮熱板３１を固設している。また、この遮熱板３１の中央部を避けた任意の位置にはソケット３２が固設されている。
【００１３】
カバー５は、先端側が拡開した略ラッパ（円筒）形を有しており、この実施例では基体３の外周面に対して１８０度（この発明ではこの角度に限定されず、任意の範囲が適用可能）の範囲で回動自在に取り付けてある。このソケット３２に光源４が取り付けてあり、光源４はカバー５の回動とともに回動せず、図３に示す位置に不動状態で取り付けてある。
【００１４】
このカバー５の開口部には、図３に示すように、微細な凹凸加工により拡散処理(すりガラスで構成しても良い)を施した凹凸領域（５１Ｂ）を有する透光部材５１が開口部に丁度嵌まり込むようにして固着されており、例えば強化ガラス等で形成されている。また、この透光部材５１の中心部から外れた位置には、図４に示すように、一部のみに拡散加工処理を施していない透明領域５１Ａを設けている。この透明領域５１Ａは、反射鏡３３によって制御された光を透過させ、患部などに局所的に狭角の配光をもった光（スポット光）を照射するようになっている。なお、この透光部材５１の外側には、略格子状に形成したルーバ５２を設けている。また、このカバー５の開口した先端部には、斜めにカットされたフード５４が取り付けられている。
【００１５】
さらにまた、このカバー５の外周面の一部には、略Ｕ字形を有し患者及び医師若しくは看護婦などの医療行為者が自由に把持してカバー５の回動位置を変更できる取手(操作手段を構成する)６を設けている。即ち、この取手６によるカバー５の移動によって、光源からの光の投光状態が２種類（光源からの光を拡散した状態と絞り込んだスポット状態）に切り替えることができるようになっている。なお、この取手６の取り付け部分近傍のカバー５には、電源のオン・オフを行うパワースイッチＳが付設されている。また、基体３には、光源４による光の照度を２段階で調整するための調光スイッチ（図略）が付設されているが、これは特に必要とするものではない。
【００１６】
したがって、この実施例によれば、例えば図５に示すように、患者Ｐ自身がベッドから上半身を起こして新聞や本などを読むような場合には、腕を伸ばして片手で取手６を掴み、アーム１を動作させカバー５を引き寄せてパワースイッチＳをオンすればよい。これによって図６に示すように、光源4からの光は、直下の透光部材５１のすりガラス部分（凹凸領域５１Ｂ）に入射するから、柔らかい拡散光Ｌ１が患者の手元などを明るく照らすことができる。
【００１７】
一方、介護者Ａや看護婦が適宜の作業、例えば患部を観察したり、包帯をとりかえたりする場合には、図７に示すように、ベッドの側方に近づいて来て腕を伸ばし、取手６を掴んでアーム１を動作させ側方にカバー５を引き寄せて取手６を１８０度程度回転する。これによって図８に示すように、強化ガラスの透明領域５１Ａが光源４の直下に位置することとなるから、光源からの明るいスポット状の光Ｌ２を直接患者の所望部位へ投光させることができる。
【００１８】
【発明の効果】
以上説明してきたように、この発明によれば、アームの先端部に首振り機構を介して基体を取り付け、この基体にカバーを取り付けた照明装置において、前記基体の先端に挟持プレートを設けてこの挟持プレートで前記カバーを回動自在に挟持するとともに、傘状の遮熱板をカバー内にカバーの回動とともに回動しないように固設し、この遮熱板の基体への固設個所である中央部を避けた位置に設けたソケットに光源を不動状態で取り付け、前記カバーの開口部に拡散加工処理を施した凹凸領域と拡散加工処理の施していない透明領域を有する透光部材を固着し、前記光源を覆うように反射鏡を設け、前記カバーを回動させて光源の下に透明領域を位置させたときに反射鏡によって制御された光をスポット光として照射し、前記カバーを回動させて光源の下に凹凸領域を位置させたときに拡散光として照射し、前記カバーの外周面の一部にカバーの回動位置を変更する取手を設けたので、使用者の好みに応じて複数種類の照明モードが誰でもごく簡単に切り替え設定することができる。
【００１９】
従って、特に例えば病院や老人ホームなどでベッドの近傍で使用する場合には、患者の手元に回動させると凹凸面が光源の出射光路上に位置するとともに介護補助者が操作するときにはその手元に回動させると透明領域が光源の出射光路上に位置して患部に出射光が投光するように構成したから、取手を手元に回すといった極く簡単な操作で照射状態を切り替えることができる。その結果、例えば患者が読書などに使用するときには拡散させた光を入射させて患者の眼に負担となることがない軟らかな光に加工し、また看護婦などが介護補助を行うような場合には患部への明るく局所的なスポット照明・投光が可能となる。
【図面の簡単な説明】
【図１】この発明の第１実施例に係る照明装置を示す側面図。
【図２】この発明の先端側要部を示す側面図。
【図３】図２の断面図。
【図４】図２の底面図。
【図５】患者が使用するときの状態を示す説明図。
【図６】図５の状態で使用するときの照射状態を示す説明図。
【図７】介護者が使用するときの状態を示す説明図。
【図８】図７で使用する場合の照射状態を示す説明図。
【符号の説明】
１  アーム
２  首振り機構
３  基体
４  光源
５  カバー
５１  透光部材（すりガラス）
５１Ａ  透明領域
５１Ｂ  凹凸領域
６  取手
【図１】
0003598222.tif 000002
【図２】
0003598222.tif 000003
【図３】
0003598222.tif 000004
【図４】
0003598222.tif 000005
【図５】
0003598222.tif 000006
【図６】
0003598222.tif 000007
【図７】
0003598222.tif 000008
【図８】
0003598222.tif 000009